Podtech/llm-jp-corpus-v4-ja_patent huggingface dataset:
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
電気刺激発生器と電気手術器とを同時に使用するためのインターフェースモジュールであって、
前記電気刺激発生器から、神経の位置を把握するための誘発電位検査のための電気刺激信号を受信するように構成された第１の入力と、
前記第１の入力に結合された第１のリレー群と、
前記第１の入力から離れており、前記電気手術器のＲＦ発生器から高周波信号を受信するように構成された第２の入力と、
前記第２の入力に結合された第２のリレー群と、
を含み、前記インターフェースモジュールは、前記第１の入力及び前記第２の入力が前記電気刺激信号と前記高周波信号とを各々が同時に受け取るように構成されており、前記電気刺激信号は前記高周波信号とは異なり、
前記インターフェースモジュールは更に、
単一の器具に出力信号を送達するように構成され、前記第１のリレー群および前記第２のリレー群に結合された出力と、
前記電気刺激信号および前記高周波信号のうち１つだけを前記出力信号として一度に送達するために指示を受信するように構成された信号検出部と、
前記第１の入力、前記第２の入力、前記信号検出部、前記第１のリレー群および前記第２のリレー群に結合され、前記出力に対応する電気刺激信号または高周波信号を送達するように、前記信号検出部からの前記指示に基づいて、前記第１のリレー群および前記第２のリレー群を選択的に励磁するように構成された制御部と
を含み、
作動において、前記インターフェースモジュールは、ユーザが所望のモードのオペレーションを能動的に選択しなかったとき、前記電気刺激発生器から信号を送達するようになっている、インターフェースモジュール。
【請求項２】
前記信号検出部が、選択モジュールから前記指示を受信する、請求項１に記載のインターフェースモジュール。
【請求項３】
前記選択モジュールが、機械スイッチおよび電気スイッチのうちの１つである、請求項２に記載のインターフェースモジュール。
【請求項４】
前記第１のリレー群および前記第２のリレー群が、真空シールド式である、請求項１に記載のインターフェースモジュール。
【請求項５】
前記制御部、前記信号検出部、および前記第１および第２の入力を保持するハウジングを備え、前記ハウジングは前記第１の入力と前記第２の入力とを分離する絶縁壁をさらに備える、請求項１に記載のインターフェースモジュール。
【請求項６】
前記絶縁壁が、ポリオキシメチレンから形成される、請求項５に記載のインターフェースモジュール。
【請求項７】
前記指示の視覚的な参照を提供する指示部をさらに備える、請求項１に記載のインターフェースモジュール。
【請求項８】
前記高周波信号が、組織の切断または凝固のために構成される、請求項１に記載のインターフェースモジュール。
【請求項９】
器具と、
誘発電位検査のための電気刺激信号を発生するように構成された電気刺激発生器と、
高周波信号を発生するように構成された電気手術器と、
前記器具、前記電気刺激発生器および前記電気手術器に電気的に結合されたインターフェースモジュールであって、信号検出部、制御部、第１のリレー群および第２のリレー群を含む、インターフェースモジュールと、
前記器具、前記電気刺激発生器および前記インターフェースモジュールを含む第１の回路と、
前記器具、前記電気手術器および前記インターフェースモジュールを含む第２の回路と、
前記信号検出部に電気的に結合され、前記第１の回路および前記第２の回路のうちの１つの選択を提供するように構成された選択モジュールとを備え、前記制御部が、前記選択に基づいて、前記第１のリレー群および前記第２のリレー群のうちの１つを励磁し、
作動において、前記インターフェースモジュールは、ユーザが所望のモードのオペレーションを能動的に選択しなかったとき、前記電気刺激発生器から信号を送達するようになっている、標的部位で組織に使用するための外科手術システム。
【請求項１０】
前記器具が、バイポーラ鉗子、腹腔鏡バイポーラ器具、単極の焼灼ペンシルおよび手首式器具のうちの１つである、請求項９に記載の外科手術システム。
【請求項１１】
前記選択モジュールが、前記器具に結合される、請求項９に記載の外科手術システム。
【請求項１２】
前記選択モジュールが、前記インターフェースモジュールに電気的に結合され、前記第２の回路を切り離すように構成される、請求項９に記載の外科手術システム。
【請求項１３】
前記選択モジュールが、前記標的部位で電気的活動を示す信号を供給するために前記インターフェースモジュールに電気的に結合される、請求項９に記載の外科手術システム。
【請求項１４】
前記電気手術器が、切離信号と凝固信号の両方を前記器具に送達するように構成された、請求項９に記載のシステム。
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
患部からの光をＩＲ成分、青色成分、赤色成分、緑色成分にそれぞれ分解するＩＲプリズム、青色プリズム、赤色プリズム及び緑色プリズムからなる４色プリズムと、
前記青色プリズムに配置され、分解された前記青色成分を電気信号に変換する青色イメージセンサと、
前記赤色プリズムに配置され、分解された前記赤色成分を電気信号に変換する赤色イメージセンサと、
前記緑色プリズムに配置され、分解された前記緑色成分を電気信号に変換する緑色イメージセンサと、
前記ＩＲプリズムに配置され、分解された前記ＩＲ成分を電気信号に変換するＩＲイメージセンサと、
前記患部からの光を、前記青色イメージセンサ、前記赤色イメージセンサ、前記緑色イメージセンサ及び前記ＩＲイメージセンサのそれぞれの撮像面に集光させるレンズユニットと、を備え、
前記患部に最も近い側に前記ＩＲプリズムが配置され、
前記青色プリズム、前記赤色プリズム、前記緑色プリズムのうち、前記青色プリズムが、前記ＩＲプリズムに隣接する前記患部から２番目に近い側に配置され、
前記レンズユニットのフランジ面から前記ＩＲイメージセンサ、前記青色イメージセンサ、前記赤色イメージセンサ及び前記緑色イメージセンサのそれぞれの撮像面までの光学的距離は、Ｃマウントに適合する距離である、
光学装置。
【請求項２】
前記緑色プリズムは、前記患部から最も遠い側に配置される、
請求項１に記載の光学装置。
【請求項３】
前記赤色プリズムは、前記患部から３番目に近い側に配置される、
請求項１に記載の光学装置。
【請求項４】
前記赤色プリズムは、前記ＩＲプリズムの患部側入射面に垂直に入射する入射光線を挟んで、前記ＩＲプリズムと反対に配置される、
請求項３に記載の光学装置。
【請求項５】
請求項１〜４のうちいずれか１項に記載の光学装置であって、
前記Ｃマウントに適合する距離は、１７．５２６ｍｍである、
光学装置。
【請求項６】
請求項１において用いられる４色プリズム。
【手続補正２】
【補正対象書類名】明細書
【補正対象項目名】０００６
【補正方法】変更
【補正の内容】
【０００６】
本開示の光学装置は、患部からの光をＩＲ成分、青色成分、赤色成分、緑色成分にそれぞれ分解するＩＲプリズム、青色プリズム、赤色プリズム及び緑色プリズムからなる４色プリズムと、前記青色プリズムに配置され、分解された前記青色成分を電気信号に変換する青色イメージセンサと、前記赤色プリズムに配置され、分解された前記赤色成分を電気信号に変換する赤色イメージセンサと、前記緑色プリズムに配置され、分解された前記緑色成分を電気信号に変換する緑色イメージセンサと、前記ＩＲプリズムに配置され、分解された前記ＩＲ成分を電気信号に変換するＩＲイメージセンサと、前記患部からの光を、前記青色イメージセンサ、前記赤色イメージセンサ、前記緑色イメージセンサ及び前記ＩＲイメージセンサのそれぞれの撮像面に集光させるレンズユニットと、を備え、前記患部に最も近い側に前記ＩＲプリズムが配置され、前記青色プリズム、前記赤色プリズム、前記緑色プリズムのうち、前記青色プリズムが、前記ＩＲプリズムに隣接する前記患部から２番目に近い側に配置され、前記レンズユニットのフランジ面から前記ＩＲイメージセンサ、前記青色イメージセンサ、前記赤色イメージセンサ及び前記緑色イメージセンサのそれぞれの撮像面までの光学的距離は、Ｃマウントに適合する距離である。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
遊技球を貯留可能な上皿と、前記上皿の下方に設けられる下皿と、を備えた遊技機であって、
遊技球が流下する遊技領域と、
所定の発射位置から前記遊技領域に向けて遊技球を発射する球発射装置と、
前記発射位置から発射されたものの前記遊技領域に到達しなかった遊技球を前記下皿に返却する返却部と、
遊技球に付された線材が外部から操作されることを防止し得る不正防止部と、
を備え、
前記不正防止部は、
遊技球に付された線材を切断又は挟止する隙間部が形成された金属板材からなり、
遊技球に付された線材が前記返却部を通じて外部に露呈している状況で該遊技球が前記発射位置から発射された際に、該遊技球に付された線材を前記隙間部で切断又は挟止して外部からの操作を困難にするものであり、
さらに、前記不正防止部は、所定の収容部に収容される
ことを特徴とする遊技機。
【手続補正２】
【補正対象書類名】明細書
【補正対象項目名】０００５
【補正方法】変更
【補正の内容】
【０００５】
ところで、従来の遊技機は、線材が付された遊技球が発射され、その線材を操作する不正な遊技に対する抑止力が十分ではなかった。
【手続補正３】
【補正対象書類名】明細書
【補正対象項目名】０００６
【補正方法】変更
【補正の内容】
【０００６】
本発明は、上記に鑑みなされたもので、その目的は不正な遊技に対する抑止力を高めた遊技機を提供することにある。
【手続補正４】
【補正対象書類名】明細書
【補正対象項目名】０００７
【補正方法】変更
【補正の内容】
【０００７】
本発明は、
遊技球を貯留可能な上皿と、前記上皿の下方に設けられる下皿と、を備えた遊技機であって、
遊技球が流下する遊技領域と、
所定の発射位置から前記遊技領域に向けて遊技球を発射する球発射装置と、
前記発射位置から発射されたものの前記遊技領域に到達しなかった遊技球を前記下皿に返却する返却部と、
遊技球に付された線材が外部から操作されることを防止し得る不正防止部と、
を備え、
前記不正防止部は、
遊技球に付された線材を切断又は挟止する隙間部が形成された金属板材からなり、
遊技球に付された線材が前記返却部を通じて外部に露呈している状況で該遊技球が前記発射位置から発射された際に、該遊技球に付された線材を前記隙間部で切断又は挟止して外部からの操作を困難にするものであり、
さらに、前記不正防止部は、所定の収容部に収容される
ことを特徴とする。（段落０１４９〜０１８５、図３６Ａ〜図３７Ｐ参照）
【手続補正５】
【補正対象書類名】明細書
【補正対象項目名】０００８
【補正方法】変更
【補正の内容】
【０００８】
本発明によれば、不正な遊技に対する抑止力を高めた遊技機を提供できる。
- 4 -
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
ベッド上の被験者の生体情報をモニターする生体情報モニタリングシステムであって、
ベッド又はベッドの脚下に設けられ、被験者による荷重を検出する複数の荷重検出器と、
前記被験者による荷重から被験者の心拍に応じて振動する荷重成分を分離する荷重分離部と、
前記被験者の心拍に応じて振動する荷重成分に基づき被験者の重心の位置を求める重心位置算出部と、
前記被験者の心拍に応じて振動する荷重成分に基づいて、被験者が前記ベッド上に在床していると判定する在床判定部を備える生体情報モニタリングシステム。
【請求項２】
前記在床判定部は、前記ベッド上に加えられる荷重の所定値を超える増加、且つ被験者の心拍に応じて振動する荷重成分に基づいて、被験者が前記ベッドに着床したと判定する請求項１に記載の生体情報モニタリングシステム。
【請求項３】
前記荷重分離部は、前記ベッド上に複数の被験者が存在する場合に、前記複数の荷重検出器の少なくとも１つにより検出された前記被験者による荷重の時間的変動の周波数スペクトルに基づいて、前記被験者による荷重を前記複数の被験者の各々による荷重に分離し、前記複数の被験者の各々による荷重から各被験者の心拍に応じて振動する荷重成分を分離し、
前記重心位置算出部は、前記各被験者の心拍に応じて振動する荷重成分に基づき各被験者の重心の位置を求める請求項１又は２に記載の生体情報モニタリングシステム。
【請求項４】
前記荷重分離部は、更に、前記被験者による荷重から被験者の呼吸に応じて振動する荷重成分を分離し、
前記重心位置算出部は、更に、前記被験者の呼吸に応じて振動する荷重成分に基づき前記被験者の呼吸重心の位置を求める請求項１又は２に記載の生体情報モニタリングシステム。
【請求項５】
前記荷重分離部は、前記ベッド上に複数の被験者が存在する場合に、前記複数の荷重検出器の少なくとも１つにより検出された前記被験者による荷重の時間的変動の周波数スペクトルに基づいて、前記被験者による荷重を前記複数の被験者の各々による荷重に分離し、前記複数の被験者の各々による荷重から各被験者の心拍に応じて振動する荷重成分及び各被験者の呼吸に応じて振動する成分を分離し、
前記重心位置算出部は、前記各被験者の心拍に応じて振動する荷重成分に基づき各被験者の心拍重心の位置を求め、且つ前記各被験者の呼吸に応じて振動する荷重成分に基づき各被験者の呼吸重心の位置を求める請求項４に記載の生体情報モニタリングシステム。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
ドリッパー筒と濾過紙挟持筒と濾過紙で構成され、ドリッパー筒と濾過紙挟持筒は上下が開口であって、ドリッパー筒の下部に円錐状のリブが形成されており、ドリッパー筒と濾過紙挟持筒の間に濾過紙を置いてドリッパー筒と濾過紙挟持筒を勘合できるものであって、ドリッパー筒は下部を濾過紙によって塞がれてレギュラーコーヒー粉を入れる空間が形成される構成のコーヒードリッパー。
【請求項２】
濾過紙挟持筒はフランジを有して、フランジを上にしてまたは下にしてドリッパー筒に勘合できる構成であってレギュラーコーヒーと水出しコーヒーを淹れることができる請求項１記載のコーヒードリッパー。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
変動表示の表示結果が特定表示結果となったときに遊技者にとって有利な有利状態に制御可能な遊技機であって、
未だ開始されていない変動表示について保留情報を記憶する保留記憶手段と、
前記保留情報に対応する対応表示を行なう対応表示手段と、
前記対応表示の態様を変化させる変化演出を実行する変化演出実行手段とを備え、
前記変化演出実行手段が複数の対応表示のうちの特定の対応表示の態様を変化させる変化演出を実行するときに、当該特定の対応表示以外の対応表示の少なくとも一部を隠ぺいし、
前記特定の対応表示以外の対応表示の少なくとも一部を隠ぺいする演出は、複数種類設けられている、遊技機。
【手続補正２】
【補正対象書類名】明細書
【補正対象項目名】０００７
【補正方法】変更
【補正の内容】
【０００７】
（１）  変動表示（可変表示等）の表示結果が特定表示結果（大当り表示結果等）となったときに遊技者にとって有利な有利状態（大当り遊技状態等）に制御可能な遊技機（パチンコ遊技機１等）であって、
未だ開始されていない変動表示について保留情報を記憶する保留記憶手段（図８の第１，２保留記憶バッファ等）と、
前記保留情報に対応する対応表示（保留表示等）を行なう対応表示手段（演出制御用マイクロコンピュータ１００、演出表示装置９における合算保留記憶表示部１８ｃ等）と、
前記対応表示の態様を変化させる変化演出を実行する変化演出実行手段（演出制御用マイクロコンピュータ１００、図１９の先読み予告処理のＳ５２４〜Ｓ５３１に示すように、変化演出が実行されるときの演出態様の内容を決定する、図２１のＳ７２０〜Ｓ７２２に示すように、先読み予告処理で決定された内容を実行するように設定する等）とを備え、  前記変化演出実行手段が複数の対応表示のうちの特定の対応表示（ターゲットの保留表示等）の態様を変化させる変化演出を実行するときに、当該特定の対応表示以外の対応表示の少なくとも一部を隠ぺいし（演出制御用マイクロコンピュータ１００、図１６（ｂ），（ｃ）に示すように、変化演出を実行するときにターゲットの保留表示以外の保留表示を大矢印８１により隠ぺいする等）、
前記特定の対応表示以外の対応表示の少なくとも一部を隠ぺいする演出は、複数種類設けられている（図１８の青大矢印、赤大矢印、役物による隠ぺい演出等）。
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
画像表示による演出を実行可能な遊技機であって、
所定画像の視認性を基準状態よりも低い視認困難状態に変化させる視認困難演出を実行する視認困難演出実行手段と、
前記視認困難演出以外の特定演出を実行する特定演出実行手段と、
前記視認困難演出の実行期間と前記特定演出の実行期間とが重複している重複期間があるときに、当該重複期間中において、前記特定演出による音出力を制限する制限手段とを備え、
前記制限手段は、前記重複期間中において、入賞に応じて出力する入賞音の音出力を制限しない、遊技機。
【手続補正２】
【補正対象書類名】明細書
【補正対象項目名】０００７
【補正方法】変更
【補正の内容】
【０００７】
（１）  画像表示による演出（変動表示演出、予告演出等）を実行可能な遊技機（パチンコ遊技機１等）であって、
所定画像（変動表示演出の画像等）の視認性を基準状態よりも低い視認困難状態（ブラックアウト状態等）に変化させる視認困難演出（ブラックアウト演出等）を実行する視認困難演出実行手段（演出制御用マイクロコンピュータ１００、図１５のＳ８０１，Ｓ８０２等）と、
前記視認困難演出以外の特定演出（ステップアップ予告演出、ＢＧＭ演出等）を実行する特定演出実行手段（演出制御用マイクロコンピュータ１００、図１５のＳ８０１，Ｓ８０２等）と、
前記視認困難演出の実行期間と前記特定演出の実行期間とが重複している重複期間（図２０に示すブラックアウト演出とステップアップ予告演出との重複期間等）があるときに、当該重複期間中において、前記特定演出による音出力を制限する（図２０（ｄ）のようにステップアップ予告音を消音する、図２０（ｅ）のようにＢＧＭ音を最小限音にする等。）制限手段（演出制御用マイクロコンピュータ１００、図１５のＳ８０１，Ｓ８０２、図２２のＳ６３６，図２３のＳ６４５等）とを備え、前記制限手段は、前記重複期間中において、入賞に応じて出力する入賞音（入賞音）の音出力を制限しない（図２０（ｇ））。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
第１識別情報の可変表示と第２識別情報の可変表示とを実行し、遊技者にとって有利な有利状態に制御可能な遊技機であって、
複数の演出用可変表示領域において第１識別情報の可変表示と第２識別情報の可変表示とに対応した演出用識別情報の可変表示を実行可能な演出用可変表示実行手段を備え、
前記演出用可変表示実行手段は、所定条件が成立したときに、演出用識別情報を縮小した態様により可変表示を実行する縮小演出用可変表示実行手段を含み、
前記演出用可変表示実行手段により可変表示が実行されているときに、複数の特別可変表示領域において特別演出用識別情報の可変表示を実行する特別演出用可変表示実行手段と、
第１識別情報の可変表示または第２識別情報の可変表示のいずれが実行されているかを特定可能な特殊識別情報の可変表示を実行可能な特殊可変表示実行手段とを備え、
前記縮小演出用可変表示実行手段は、前記特別演出用識別情報の可変表示と比較して認識しやすい態様により可変表示を実行可能である
ことを特徴とする遊技機。
【手続補正２】
【補正対象書類名】明細書
【補正対象項目名】０００９
【補正方法】変更
【補正の内容】
【０００９】
（手段１）本発明による遊技機は、第１識別情報（例えば、第１特別図柄）の可変表示と第２識別情報（例えば、第２特別図柄）の可変表示とを実行し、遊技者にとって有利な有利状態（例えば、大当り遊技状態）に制御可能な遊技機であって、複数の演出用可変表示領域（例えば、演出図柄表示領域９Ｆの左中右の領域）において第１識別情報の可変表示と第２識別情報の可変表示とに対応した演出用識別情報（例えば、演出図柄）の可変表示を実行可能な演出用可変表示実行手段（例えば、演出制御用マイクロコンピュータ１００におけるステップＳ８０１〜Ｓ８０３を実行して演出図柄の変動表示を実行する部分）を備え、演出用可変表示実行手段は、所定条件が成立したときに（例えば、スーパーリーチ演出や特定演出の実行中に）、演出用識別情報を縮小した態様により可変表示を実行する縮小演出用可変表示実行手段（例えば、演出制御用マイクロコンピュータ１００におけるステップＳ８０１〜Ｓ８０３を実行して演出用小図柄の変動表示を実行する部分）を含み、演出用可変表示実行手段により可変表示が実行されているときに、複数の特別可変表示領域（例えば、システム用小図柄表示領域９Ｇの左中右の領域）において特別演出用識別情報（例えば、システム用小図柄）の可変表示を実行する特別演出用可変表示実行手段（例えば、演出制御用マイクロコンピュータ１００におけるステップＳ５００〜Ｓ５０２を実行する部分）と、第１識別情報の可変表示または第２識別情報の可変表示のいずれが実行されているかを特定可能な特殊識別情報（例えば、第４図柄）の可変表示を実行可能な特殊可変表示実行手段（例えば、演出制御用マイクロコンピュータ１００におけるステップＳ９００〜Ｓ９０２を実行する部分）とを備え、縮小演出用可変表示実行手段は、特別演出用識別情報の可変表示と比較して認識しやすい態様により可変表示を実行可能である（例えば、図４５、図４６、図４８、および図５０に示されるように、演出用小図柄表示領域９Ｈに表示される演出用小図柄の方が、システム用小図柄表示領域９Ｇに表示されるシステム用小図柄よりも大きく、視認しやすい）ことを特徴とする。そのような構成によれば、演出用識別情報の可変表示を視認しやすく、遊技状況を認識しやすくすることができる。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
複数の動作パターンで動作可能な可動物と、
前記可動物の動作を制御する制御手段とを備え、
前記制御手段は、前記遊技機を起動するときに、初期動作パターンで前記可動物を動作させ、前記遊技機を起動するときの前記可動物の位置によって前記初期動作パターンを異ならせ、
前記初期動作パターンは、複数の動作パターンを混合して成るパターンである、遊技機。
【請求項２】
遊技を行なうことが可能な遊技機であって、
複数の動作パターンで動作可能な可動物と、
前記可動物の動作を制御する制御手段とを備え、
前記制御手段は、前記遊技機を起動するときに、初期動作パターンで前記可動物を動作させ、前記遊技機を起動するときの前記可動物の位置によって前記初期動作パターンを異ならせ、
前記初期動作パターンは、複数の動作パターンで連続して前記可動物を動作させるパターンである、遊技機。
【手続補正２】
【補正対象書類名】明細書
【補正対象項目名】０００６
【補正方法】変更
【補正の内容】
【０００６】
（１）  遊技を行なうことが可能な遊技機（たとえば、パチンコ遊技機１，スロットマシン）であって、
複数の動作パターン（たとえば、上下動のみ，上下動＋回転）で動作可能な可動物（たとえば、役物５０１）と、
前記可動物の動作を制御する制御手段（たとえば、演出制御用ＣＰＵ１２０）とを備え、
前記制御手段は、前記遊技機を起動するときに、初期動作パターンで前記可動物を動作させ（たとえば、図９のステップＳ５１Ａ）、前記遊技機を起動するときの前記可動物の位置によって前記初期動作パターンを異ならせ（たとえば、図１５参照）、
前記初期動作パターンは、複数の動作パターンを混合して成るパターンである（たとえば、図１２〜図１４参照）。
【手続補正３】
【補正対象書類名】明細書
【補正対象項目名】０００７
【補正方法】変更
【補正の内容】
【０００７】
このような構成によれば、遊技機を起動するときに、遊技中の複数の動作パターンを混合して成るパターンで可動物が動作させられる。その結果、可動物の動作を確認することが可能な遊技機を提供することができる。また、遊技機を起動するときの可動物の位置によって可動物の初期動作パターンが異ならせられる。その結果、可動物の初期動作パターンでの動作を効率よく行なうことができる。
【手続補正４】
【補正対象書類名】明細書
【補正対象項目名】０００８
【補正方法】変更
【補正の内容】
【０００８】
（２）  遊技を行なうことが可能な遊技機（たとえば、パチンコ遊技機１，スロットマシン）であって、
複数の動作パターン（たとえば、上下動のみ，上下動＋回転）で動作可能な可動物（たとえば、役物５０１）と、
前記可動物の動作を制御する制御手段（たとえば、演出制御用ＣＰＵ１２０）とを備え、
前記制御手段は、前記遊技機を起動するときに、初期動作パターンで前記可動物を動作させ（たとえば、図９のステップＳ５１Ａ）、前記遊技機を起動するときの前記可動物の位置によって前記初期動作パターンを異ならせ（たとえば、図１５参照）、
前記初期動作パターンは、複数の動作パターンで連続して前記可動物を動作させるパターンである（たとえば、図１１参照）。
【手続補正５】
【補正対象書類名】明細書
【補正対象項目名】０００９
【補正方法】変更
【補正の内容】
【０００９】
このような構成によれば、遊技機を起動するときに、遊技中の複数の動作パターンで連続して可動物を動作させるパターンで可動物が動作させられる。その結果、可動物の動作を確認することが可能な遊技機を提供することができる。また、遊技機を起動するときの可動物の位置によって可動物の初期動作パターンが異ならせられる。その結果、可動物の初期動作パターンでの動作を効率よく行なうことができる。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
複数の動作パターンで動作可能な可動物と、
前記可動物の動作を制御する制御手段と、
可変表示を行なって表示結果を導出表示する可変表示手段と、を備え、
前記制御手段は、前記遊技機を起動するときに、初期動作パターンで前記可動物を動作させ、前記初期動作パターンでの前記可動物の動作の実行中に前記可変表示が開始されるときには、当該動作を継続させ、
前記初期動作パターンは、複数の動作パターンを混合して成るパターンである、遊技機。
【請求項２】
遊技を行なうことが可能な遊技機であって、
複数の動作パターンで動作可能な可動物と、
前記可動物の動作を制御する制御手段と、
可変表示を行なって表示結果を導出表示する可変表示手段と、を備え、
前記制御手段は、前記遊技機を起動するときに、初期動作パターンで前記可動物を動作させ、前記初期動作パターンでの前記可動物の動作の実行中に前記可変表示が開始されるときには、当該動作を継続させ、
前記初期動作パターンは、複数の動作パターンで連続して前記可動物を動作させるパターンである、遊技機。
【手続補正２】
【補正対象書類名】明細書
【補正対象項目名】０００６
【補正方法】変更
【補正の内容】
【０００６】
（１）  遊技を行なうことが可能な遊技機（たとえば、パチンコ遊技機１，スロットマシン）であって、
複数の動作パターン（たとえば、上下動のみ，上下動＋回転）で動作可能な可動物（たとえば、役物５０１）と、
前記可動物の動作を制御する制御手段（たとえば、演出制御用ＣＰＵ１２０）と、
可変表示を行なって表示結果を導出表示する可変表示手段と、を備え、
前記制御手段は、前記遊技機を起動するときに、初期動作パターンで前記可動物を動作させ（たとえば、図９のステップＳ５１Ａ）、前記初期動作パターンでの前記可動物の動作の実行中に前記可変表示が開始されるときには、当該動作を継続させ（たとえば、図９において、ステップＳ５７〜ステップＳ６０の処理を含めない）、
前記初期動作パターンは、複数の動作パターンを混合して成るパターンである（たとえば、図１２〜図１４参照）。
【手続補正３】
【補正対象書類名】明細書
【補正対象項目名】０００７
【補正方法】変更
【補正の内容】
【０００７】
このような構成によれば、遊技機を起動するときに、遊技中の複数の動作パターンを混合して成るパターンで可動物が動作させられる。その結果、可動物の動作を確認することが可能な遊技機を提供することができる。また、可変表示が開始された場合であっても、可動物の初期動作パターンでの動作が継続される。その結果、可動物の動作をより確実に確認することができる。
【手続補正４】
【補正対象書類名】明細書
【補正対象項目名】０００８
【補正方法】変更
【補正の内容】
【０００８】
（２）  遊技を行なうことが可能な遊技機（たとえば、パチンコ遊技機１，スロットマシン）であって、
複数の動作パターン（たとえば、上下動のみ，上下動＋回転）で動作可能な可動物（たとえば、役物５０１）と、
前記可動物の動作を制御する制御手段（たとえば、演出制御用ＣＰＵ１２０）と、
可変表示を行なって表示結果を導出表示する可変表示手段と、を備え、
前記制御手段は、前記遊技機を起動するときに、初期動作パターンで前記可動物を動作させ（たとえば、図９のステップＳ５１Ａ）、前記初期動作パターンでの前記可動物の動作の実行中に前記可変表示が開始されるときには、当該動作を継続させ（たとえば、図９において、ステップＳ５７〜ステップＳ６０の処理を含めない）、
前記初期動作パターンは、複数の動作パターンで連続して前記可動物を動作させるパターンである（たとえば、図１１参照）。
【手続補正５】
【補正対象書類名】明細書
【補正対象項目名】０００９
【補正方法】変更
【補正の内容】
【０００９】
このような構成によれば、遊技機を起動するときに、遊技中の複数の動作パターンで連続して可動物を動作させるパターンで可動物が動作させられる。その結果、可動物の動作を確認することが可能な遊技機を提供することができる。また、可変表示が開始された場合であっても、可動物の初期動作パターンでの動作が継続される。その結果、可動物の動作をより確実に確認することができる。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
遊技が可能であり、有利状態に制御可能な遊技機であって、
前記有利状態として、第１有利状態と、該第１有利状態よりも遊技者にとって有利な第２有利状態とに制御可能であり、
前記第２有利状態に制御される場合に、過度な遊技への注意を促す注意報知を実行可能な注意報知手段を備え、
前記注意報知手段は、前記第２有利状態が終了した後に前記注意報知を実行可能であることを特徴とする遊技機。
【請求項２】
請求項１に記載した遊技機であって、
前記有利状態に連続して制御される場合には、前記注意報知の実行を制限することを特徴とする遊技機。
【請求項３】
請求項１又は２に記載した遊技機であって、
前記注意報知手段は、
前記有利状態に連続して制御される場合には、前記有利状態に連続して制御されない場合とは異なる態様の注意報知を実行することを特徴とする遊技機。
【請求項４】
請求項１〜３のいずれかに記載した遊技機であって、
前記有利状態の終了に関連して、該有利状態の終了を示す終了演出を実行する終了演出実行手段を備え、
前記注意報知手段は、前記終了演出の実行期間中に前記注意報知を実行可能であり、
前記終了演出実行手段は、前記注意報知が実行されるか否かにかかわらず、前記終了演出を同一の演出期間により実行することを特徴とする遊技機。
【請求項５】
遊技が可能であり、第１有利状態と、該第１有利状態よりも遊技者にとって有利な第２有利状態とに制御可能な遊技機に対応して設けられる遊技用装置であって、
前記遊技機が前記第２有利状態に制御される場合に、過度な遊技への注意を促す注意報知を実行可能な注意報知手段を備え、
前記注意報知手段は、前記遊技機において前記第２有利状態が終了した後に前記注意報知を実行可能であることを特徴とする遊技用装置。
【請求項６】
請求項５に記載した遊技用装置であって、
前記有利状態に連続して制御される場合には、前記注意報知の実行を制限することを特徴とする遊技用装置。
【請求項７】
請求項５又は６に記載した遊技用装置であって、
前記注意報知手段は、
前記有利状態に連続して制御される場合には、前記有利状態に連続して制御されない場合とは異なる態様の注意報知を実行することを特徴とする遊技用装置。
【手続補正２】
【補正対象書類名】明細書
【補正対象項目名】００１０
【補正方法】変更
【補正の内容】
【００１０】
（手段１）手段１の遊技機は、
遊技が可能であり、有利状態（大当り遊技状態）に制御可能な遊技機（第４の実施の形態におけるパチンコ遊技機１）であって、
前記有利状態として、第１有利状態（実質的に大入賞口への入賞が困難な突然確変大当り）と、該第１有利状態よりも遊技者にとって有利な第２有利状態（実質的に大入賞口への入賞が容易な突然確変以外の大当り種別（通常大当り，確変大当り，４Ｒ特定確変大当り，８Ｒ特定確変大当り，１６Ｒ特定確変大当り）の大当り）とに制御可能であり、
前記第２有利状態に制御される場合に、過度な遊技への注意を促す注意報知を実行可能な注意報知手段（Ｓ３９２５，Ｓ３９２６，Ｓ３９３４，Ｓ３９３５に相当する処理で、注意報知用のプロセステーブルを選択する演出制御用マイクロコンピュータ１００）を備え、
前記注意報知手段は、前記第２有利状態が終了した後に前記注意報知を実行可能である（突然確変以外の大当り種別（通常大当り，確変大当り，４Ｒ特定確変大当り，８Ｒ特定確変大当り，１６Ｒ特定確変大当り）の大当り遊技状態が終了した後のエンディング演出において注意報知を行う）ことを特徴とする。
これによれば、遊技者が遊技にのめり込みやすい状況で適切に注意報知を行うことができると共に、有利状態において注意報知が行われることによる遊技興趣の低下を防止することができる。
【手続補正３】
【補正対象書類名】明細書
【補正対象項目名】００１５
【補正方法】変更
【補正の内容】
【００１５】
（手段６）手段６の遊技用装置は、
遊技が可能であり、第１有利状態（実質的に大入賞口への入賞が困難な突然確変大当り）と、該第１有利状態よりも遊技者にとって有利な第２有利状態（実質的に大入賞口への入賞が容易な突然確変以外の大当り種別（通常大当り，確変大当り，４Ｒ特定確変大当り，８Ｒ特定確変大当り，１６Ｒ特定確変大当り）の大当り）とに制御可能な遊技機（第４の実施の形態におけるパチンコ遊技機１）に対応して設けられる遊技用装置（カードユニット５０）であって、
前記遊技機が前記第２有利状態に制御される場合に（大当り信号がＯＮとなる期間が所定期間以上であることに基づいて、開放時間が所定時間以上であるラウンドが含まれる第２特定遊技状態であることを特定して）、過度な遊技への注意を促す注意報知を実行可能な注意報知手段（注意報知画像１０００を表示する表示装置５０ａ）を備え、
前記注意報知手段は、前記遊技機において前記第２有利状態が終了した後に前記注意報知を実行可能である（大当り信号がＯＮからＯＦＦとなった後に注意報知を行う）ことを特徴とする。
これによれば、遊技者が遊技にのめり込みやすい状況で適切に注意報知を行うことができると共に、有利状態において注意報知が行われることによる遊技興趣の低下を防止することができる。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
複数の動作パターンで動作可能な可動物と、
前記可動物の動作を制御する制御手段とを備え、
前記制御手段は、前記遊技機を起動するときに、初期動作パターンで前記可動物を動作させ、
前記初期動作パターンは、複数の動作パターンを混合して成るパターンであり、
前記制御手段は、前記可動物の待機位置からの進出動作および前記待機位置への後退動作が非対称であるように前記可動物を動作させる、遊技機。
【請求項２】
遊技を行なうことが可能な遊技機であって、
複数の動作パターンで動作可能な可動物と、
前記可動物の動作を制御する制御手段とを備え、
前記制御手段は、前記遊技機を起動するときに、初期動作パターンで前記可動物を動作させ、
前記初期動作パターンは、複数の動作パターンで連続して前記可動物を動作させるパターンであり、
前記制御手段は、前記可動物の待機位置からの進出動作および前記待機位置への後退動作が非対称であるように前記可動物を動作させる、遊技機。
【手続補正２】
【補正対象書類名】明細書
【補正対象項目名】０００６
【補正方法】変更
【補正の内容】
【０００６】
（１）  遊技を行なうことが可能な遊技機（たとえば、パチンコ遊技機１，スロットマシン）であって、
複数の動作パターン（たとえば、上下動のみ，上下動＋回転）で動作可能な可動物（たとえば、役物５０１）と、
前記可動物の動作を制御する制御手段（たとえば、演出制御用ＣＰＵ１２０）とを備え、
前記制御手段は、前記遊技機を起動するときに、初期動作パターンで前記可動物を動作させ（たとえば、図９のステップＳ５１Ａ）、
前記初期動作パターンは、複数の動作パターンを混合して成るパターンであり（たとえば、図１２〜図１４参照）、
前記制御手段は、前記可動物の待機位置からの進出動作（たとえば、図１３の動作Ａ＋動作Ｃ）および前記待機位置への後退動作（たとえば、図１３の動作Ｄ）が非対称であるように前記可動物を動作させる。
【手続補正３】
【補正対象書類名】明細書
【補正対象項目名】０００７
【補正方法】変更
【補正の内容】
【０００７】
このような構成によれば、遊技機を起動するときに、遊技中の複数の動作パターンを混合して成るパターンで可動物が動作させられる。その結果、可動物の動作を確認することが可能な遊技機を提供することができる。また、可動物の進出動作および後退動作の両方に遊技者を注目させることができる。その結果、可動物の動作による遊技の演出の興趣を向上させることができる。
【手続補正４】
【補正対象書類名】明細書
【補正対象項目名】０００８
【補正方法】変更
【補正の内容】
【０００８】
（２）  遊技を行なうことが可能な遊技機（たとえば、パチンコ遊技機１，スロットマシン）であって、
複数の動作パターン（たとえば、上下動のみ，上下動＋回転）で動作可能な可動物（たとえば、役物５０１）と、
前記可動物の動作を制御する制御手段（たとえば、演出制御用ＣＰＵ１２０）とを備え、
前記制御手段は、前記遊技機を起動するときに、初期動作パターンで前記可動物を動作させ（たとえば、図９のステップＳ５１Ａ）、
前記初期動作パターンは、複数の動作パターンで連続して前記可動物を動作させるパターンであり（たとえば、図１１参照）、
前記制御手段は、前記可動物の待機位置からの進出動作（たとえば、図１３の動作Ａ＋動作Ｃ）および前記待機位置への後退動作（たとえば、図１３の動作Ｄ）が非対称であるように前記可動物を動作させる。
【手続補正５】
【補正対象書類名】明細書
【補正対象項目名】０００９
【補正方法】変更
【補正の内容】
【０００９】
このような構成によれば、遊技機を起動するときに、遊技中の複数の動作パターンで連続して可動物を動作させるパターンで可動物が動作させられる。その結果、可動物の動作を確認することが可能な遊技機を提供することができる。また、可動物の進出動作および後退動作の両方に遊技者を注目させることができる。その結果、可動物の動作による遊技の演出の興趣を向上させることができる。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
遊技者が操作可能な操作ユニットを、遊技機本体の前側の操作ユニット装着部に着脱可能に装着した
遊技機において、
前記操作ユニット装着部又はその近傍に、前記操作ユニットの着脱時に、該操作ユニットを案内可能な案内部を設け、
前記案内部は、前記操作ユニット装着部に対して前記操作ユニットを着脱するための着脱空間内に、該操作ユニットの着脱方向に沿って配置される突起状である
ことを特徴とする遊技機。
【手続補正２】
【補正対象書類名】明細書
【補正対象項目名】０００４
【補正方法】変更
【補正の内容】
【０００４】
本発明はこの種の遊技機に関するものであり、遊技機本体に対する操作ユニットの着脱操作を容易に行うことが可能な遊技機を提供することを目的とする。
【手続補正３】
【補正対象書類名】明細書
【補正対象項目名】０００５
【補正方法】変更
【補正の内容】
【０００５】
本発明は、遊技者が操作可能な操作ユニットを、遊技機本体の前側の操作ユニット装着部に着脱可能に装着した遊技機において、前記操作ユニット装着部又はその近傍に、前記操作ユニットの着脱時に、該操作ユニットを案内可能な案内部を設け、前記案内部は、前記操作ユニット装着部に対して前記操作ユニットを着脱するための着脱空間内に、該操作ユニットの着脱方向に沿って配置される突起状としたものである。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
遊技者が操作可能な操作ユニットを、遊技機本体の前側の操作ユニット装着部に着脱可能に装着した
遊技機において、
前記操作ユニットは、コネクタを有する第１基板を備え、
前記遊技機本体は、前記第１基板とハーネスを介して接続される第２基板を備え、
前記操作ユニット装着部又はその近傍に、前記操作ユニットの着脱時に、該操作ユニットを案内可能な案内部と、前記遊技機本体側から前記操作ユニット装着部側へと前記ハーネスを挿通可能な挿通部と、を備え、
前記案内部は、前記操作ユニットの着脱方向に沿って配置される突起状である
ことを特徴とする遊技機。
【手続補正２】
【補正対象書類名】明細書
【補正対象項目名】０００２
【補正方法】変更
【補正の内容】
【０００２】
例えばパチンコ機等の遊技機では、遊技者の遊技への関与意識を高めて興趣を増大させるため、発射ハンドル等とは別に押しボタン式、その他の操作手段を設け、図柄変動中等の操作有効期間中に遊技者がその操作手段を一回押し、連打、長押し等の所定操作条件を満たすように操作した場合に所定の操作時演出を行うように構成したものが一般的である（例えば特許文献１）。
このような操作手段は、興奮した遊技者によって乱暴に操作される場合があることから、他の部分に比べて故障、損傷等が生じやすい。従って、そのような故障等が生じた場合に容易に部品交換等による対応が可能なようにすることが望ましい。
【手続補正３】
【補正対象書類名】明細書
【補正対象項目名】０００４
【補正方法】変更
【補正の内容】
【０００４】
本発明はこの種の遊技機に関するものであり、遊技機本体に対する操作ユニットの着脱操作を容易に行うことができる遊技機を提供することを目的とする。
【手続補正４】
【補正対象書類名】明細書
【補正対象項目名】０００５
【補正方法】変更
【補正の内容】
【０００５】
本発明は、遊技者が操作可能な操作ユニットを、遊技機本体の前側の操作ユニット装着部に着脱可能に装着した遊技機において、前記操作ユニットは、コネクタを有する第１基板を備え、前記遊技機本体は、前記第１基板とハーネスを介して接続される第２基板を備え、前記操作ユニット装着部又はその近傍に、前記操作ユニットの着脱時に、該操作ユニットを案内可能な案内部と、前記遊技機本体側から前記操作ユニット装着部側へと前記ハーネスを挿通可能な挿通部と、を備え、前記案内部は、前記操作ユニットの着脱方向に沿って配置される突起状にしたものである。
【手続補正５】
【補正対象書類名】明細書
【補正対象項目名】０００６
【補正方法】変更
【補正の内容】
【０００６】
本発明によれば、遊技機本体に対する操作ユニットの着脱操作を容易に行うことが可能である。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
遊技者が操作可能な操作ユニットを、遊技機本体の前側の操作ユニット装着部に着脱可能に装着した
遊技機において、
前記操作ユニット装着部又はその近傍に、前記操作ユニットの着脱時に、該操作ユニットを案内可能な案内部を設け、
前記案内部は、前記操作ユニットに対して左右に配置され、該操作ユニットの被案内部側に突出する突起状である
ことを特徴とする遊技機。
【手続補正２】
【補正対象書類名】明細書
【補正対象項目名】０００２
【補正方法】変更
【補正の内容】
【０００２】
例えばパチンコ機等の遊技機では、遊技者の遊技への関与意識を高めて興趣を増大させるため、発射ハンドル等とは別に押しボタン式、その他の操作手段を設け、図柄変動中等の操作有効期間中に遊技者がその操作手段を一回押し、連打、長押し等の所定操作条件を満たすように操作した場合に所定の操作時演出を行うように構成したものが一般的である（例えば特許文献１）。
このような操作手段は、興奮した遊技者によって乱暴に操作される場合があることから、他の部分に比べて故障、損傷等が生じやすい。従って、そのような故障等が生じた場合に容易に部品交換等による対応が可能なようにすることが望ましい。
【手続補正３】
【補正対象書類名】明細書
【補正対象項目名】０００４
【補正方法】変更
【補正の内容】
【０００４】
本発明はこの種の遊技機に関するものであり、遊技機本体に対する操作ユニットの着脱操作を容易に行うことが可能な遊技機を提供することを目的とする。
【手続補正４】
【補正対象書類名】明細書
【補正対象項目名】０００５
【補正方法】変更
【補正の内容】
【０００５】
本発明は、遊技者が操作可能な操作ユニットを、遊技機本体の前側の操作ユニット装着部に着脱可能に装着した遊技機において、前記操作ユニット装着部又はその近傍に、前記操作ユニットの着脱時に、該操作ユニットを案内可能な案内部を設け、前記案内部は、前記操作ユニットに対して左右に配置され、該操作ユニットの被案内部側に突出する突起状にしたものである。
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
圧縮機、四方弁、凝縮器、膨張弁、冷却部を順次接続した冷媒回路と、リントを捕集するフィルタとを備え、
前記冷却部のフィンの表面は親水性であり、
前記冷却部の表面温度を０℃以下にする運転を行った後に運転を停止する冷凍サイクル装置。
【請求項２】
前記冷却部の表面温度を０℃以下に制御した後、前記四方弁により前記冷媒回路の冷媒の流れを切り替え、前記冷却部を凝縮器として機能させる請求項１に記載の冷凍サイクル装置。
【手続補正２】
【補正対象書類名】明細書
【補正対象項目名】発明の名称
【補正方法】変更
【補正の内容】
【発明の名称】冷凍サイクル装置
【手続補正３】
【補正対象書類名】明細書
【補正対象項目名】０００１
【補正方法】変更
【補正の内容】
【０００１】
本発明は、冷凍サイクル装置に関する。
【手続補正４】
【補正対象書類名】明細書
【補正対象項目名】００１０
【補正方法】変更
【補正の内容】
【００１０】
上記の課題を解決するために、本発明の冷凍サイクル装置は、圧縮機、四方弁、凝縮器、膨張弁、冷却部を順次接続した冷媒回路と、リントを捕集するフィルタとを備え、前記冷却部のフィンの表面は親水性であり、前記冷却部の表面温度を０℃以下にする運転を行った後に運転を停止する。
【手続補正５】
【補正対象書類名】明細書
【補正対象項目名】００１１
【補正方法】変更
【補正の内容】
【００１１】
本発明によれば、外槽からフィルタを経て乾燥熱源であるヒートポンプ装置へ至る風路の蒸発器の上流に、乾燥運転時の循環空気の露点温度よりも低い温度となる冷却部を配置している。このような構成とすることで、循環空気に随伴したリントは冷却部上で循環空気中の水分の結露とともに捕集されるため、蒸発器の前面へのリントの付着を抑制することが可能となる。この結果、蒸発器前面でのリント堆積による閉塞や通風抵抗の増加を防ぐことで、ヒートポンプ装置の信頼性を向上することが可能となる。また、洗濯乾燥機への適用に関して、乾燥運転中の風量が確保できるため、消費電力低減及び、除湿性能を良好とすることによる乾燥性能向上を両立した冷凍サイクル装置を提供することができる。
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
ベッドのオプションを取り付けることができる取付部材のカバーであって、
前記カバーは、
第１の板部と、前記第１の板部と同じ方向に延び、前記第１の板部と対向する第２の板部と、
前記第１の板部と前記第２の板部に接続される第３の板部と、
を含み、
前記第１の板部及び前記第２の板部のいずれかにのみ複数の窓孔が設けられ、
前記第１の板部と前記第２の板部のいずれにも化粧面が設けられ、
前記オプションを前記窓孔を通じて挿入することができることを特徴とするカバー。
【請求項２】
前記第１の板部と前記第２の板部の化粧面には、いずれにも同じデザインが施されていることを特徴とする請求項１に記載のカバー。
【請求項３】
前記取付部材にサイドレールの支柱を嵌合して取り付け可能になっていることを特徴とする請求項１または２に記載のカバー。
【請求項４】
前記取付部材のカバーは、前記窓孔を除いて上下に対称であることを特徴とする請求項１から３のうちの１項に記載のカバー。
【請求項５】
前記カバーの化粧面は、木調のデザインとしたことを特徴とする請求項１から４のうちの１項に記載のカバー。